(57)【特許請求の範囲】
【請求項１】
第二挟持部との間に挟持する対象物を挟持するための第一挟持部と、
前記第二挟持部と、
前記第一挟持部と前記第二挟持部との間に対象物を挟持するための力である挟持力を発生させる挟持力発生部と、
前記第一挟持部と前記第二挟持部との間隔を調整する調整部と、
前記第一挟持部材と接続された前記挟持力発生部に接続され、調整部により保持される、被保持部と
を備える、挟持器具。
【請求項２】
前記調整部が、前記間隔を段階的に調整する、請求項１に記載された挟持器具。
【請求項３】
前記第一挟持部を備える第一挟持部材及び前記第二挟持部を備える第二挟持部材を、さらに備える、請求項１又は請求項２に記載された挟持器具。
【請求項４】
前記調整部が、前記被保持部の少なくとも一部を設置及び除去することのできる複数の被設置部を有し、
前記一部を設置する前記被設置部を選択することにより、前記間隔を調整する、請求項１乃至請求項３のうちのいずれか一に記載された挟持器具。
【請求項５】
前記調整部が側部を備え、前記被設置部が、前記側部に形成されている、請求項４に記載された挟持器具。
【請求項６】
前記調整部が第一の側部と、第二の側部と、を備え、前記被設置部が前記第一の側部及び前記第二の側部に形成されている、請求項５に記載された挟持器具。
【請求項７】
前記第一の側部及び第二の側部のそれぞれには複数の被設置部が設けられ、前記第一の側部に形成された被設置部から選択され一の被設置部と前記第二の側部に形成された被設置部から選択された一の被設置部とからなる選択された一対の被設置部に前記少なくとも一部が設置され、その一対の被設置部の選択により、前記間隔を調整する、請求項６に記載された挟持器具。
【請求項８】
前記対象物がキーボードである、請求項１乃至請求項７のうちのいずれか一に記載された挟持器具。
【請求項９】
請求項１乃至請求項８のうちのいずれか一の挟持器具と、
当該挟持器具が前記対象物を挟持した状態で、前記挟持器具を、前記挟持器具を設置する場所である設置場所上に設置するための補助器具と、を備える設置器具。
【発明の詳細な説明】
【技術分野】
【０００１】
本発明は、物を挟持する挟持器具、及び、挟持器具で挟持した物を設置するための設置器具に関する。
【背景技術】
【０００２】
種々の厚みの異なる物を挟んで固定を行ったり、当該固定を行った物を所定の方向に保持したりする方法としては、例えば、当該固定や当該保持の対象物をパーソナルコンピュータ等のキーボードとした場合について特許文献１及び特許文献２に開示されている。
【０００３】
特許文献１に開示されたキーボードスタンドは、第１及び第２のフック部材を有し、その第１及び第２のフック部材の挟持部によりキーボード本体を挟持する。しかしながら、第１及び第２のフック部材の間隔は一定であることから、一定の厚みのキーボードしか挟持することができない。
【０００４】
この問題を解決し得る方法として、特許文献２には、先端部側を挟む方向に付勢する付勢バネを設けたハサミ部材によりキーボードを挟持する方法が開示されている。同方法により、ある程度厚みの異なるキーボードの挟持を行うことができる。
【先行技術文献】
【特許文献】
【０００５】
【特許文献１】特開平９−３１９４８２号公報
【特許文献２】特開２００１−３２５０５７号公報
【発明の概要】
【発明が解決しようとする課題】
【０００６】
しかしながら、特許文献２に開始された方法は、はさみ部材を構成する２つのハサミ部を開くことのできる角度に限界があり、また、２つのハサミ部を開きすぎるとキーボードを挟持する力が減少し、外れやすくなる。そのため、厚みが極端に厚いキーボードを挟持することはできないという問題がある。
【０００７】
本発明は、より広い範囲の厚みの物を挟持し得る挟持器具を提供することを目的とする。
【課題を解決するための手段】
【０００８】
本発明の挟持器具は、第二挟持部との間に挟持する対象物を挟持するための第一挟持部と、前記第二挟持部と、前記第一挟持部と前記第二挟持部との間に対象物を挟持するための力である挟持力を発生させる挟持力発生部とを備える。本発明の挟持器具は、さらに、前記第一挟持部と前記第二挟持部との間隔を調整する調整部を備える。
【発明の効果】
【０００９】
本発明の挟持器具は、より広い範囲の厚みの物を挟持し得る。
【図面の簡単な説明】
【００１０】
【図１】第一実施形態の挟持器具の構成を表す側面概念図である。
【図２】第一実施形態の挟持器具による物の挟持の様子を表す概念図である。
【図３】調整部の構成例を表す概念図である。
【図４】ずれ防止部を追加した構成を表す概念図である。
【図５】図４に表した構成を分解した場合を想定した概念図である。
【図６】挟持補助部材を設けた構成例である。
【図７】第二実施形態の挟持器具の構成を表す概念図である。
【図８】挟持器具第一部の構成を表す概念図である。
【図９】挟持器具第二部の構成を表す概念図である。
【図１０】挟持器具第二部の第一のバリエーションを表す概念図である。
【図１１】挟持器具第二部の第二のバリエーションを表す概念図である。
【図１２】挟持器具第二部の第三のバリエーションを表す概念図である。
【図１３】組み立てた設置器具を表すイメージ斜視図である。
【図１４】挟持器具第一部、挟持器具第二部及び補助器具を取り外した場合の、設置器具を表す概念図である。
【図１５】補助器具の構成を表す概念図である。
【図１６】補助器具と挟持器具第二部との組立て例を表す概念図（その一）である。
【図１７】補助器具と挟持器具第二部との組立て例を表す概念図（その二）である。
【図１８】２個の設置器具を用いて、キーボードを立てて設置した例を表わすイメージ図である。
【図１９】比較的厚みの厚いキーボードを本実施形態の設置器具で立てずに設置した例を表わすイメージ図である。
【図２０】被挟持部の厚みが薄いキーボードを立てずに設置した例を表すイメージ図である。
【図２１】安定化部を設けた設置器具を表すイメージ図である。
【図２２】本発明の最小限の挟持器具の構成を表す概念図である。
【発明を実施するための形態】
【００１１】
＜第一実施形態＞
本実施形態は、高さ調整の可能な挟持器具についての実施形態である。
【００１２】
図１は、本実施形態の挟持器具０２０を表す側面概念図である。
【００１３】
挟持器具０２０は、第一挟持部材００１と、バネ００２と、被保持部００３と、調整部００４と、第二挟持部材００５と、を備える。
【００１４】
第二挟持部材００５上には、調整部００４が固定されている。
【００１５】
調整部００４は、自らに設置される物の高さを調整する部材である。調整部００４は、同図に表した第一挟持部００６と第二挟持部００７との安定状態における間隔を調整することができる。ここで、「安定状態」とは、バネに対し、バネが設置された状態からは、さらにばねを変形させる力が加えられていない状態をいい、以下においても同じである。
【００１６】
調整部００４には被保持部００３が固定され、調整部００４により保持されている。
【００１７】
被保持部００３には、バネ００２の一端００２ｘが固定されている。
【００１８】
バネ００２の他の一端００２ｙには第一挟持部材００１が固定されている。
【００１９】
バネ００２は、第一挟持部材００１の第一挟持部００６を、第二挟持部材００５の第二挟持部００７の方向に付勢する働きをする。すなわち、バネ００２は、第一挟持部００６と第二挟持部００７との間に力が加えられて、第一挟持部００６と第二挟持部００７の距離が大きくなり自己が変形すると、自己の変形を修復する力を第一挟持部００６と第二挟持部００７の距離を縮める方向に加える。すなわち、第一挟持部００６に、同図に表した矢印００９の方向の力が、バネ００２により加えられる。この力が、第一挟持部００６と第二挟持部００７とのより図示しない挟持対象物を挟持するための挟持力になる。
【００２０】
図２は、挟持器具０２０による物の挟持の様子を表す概念図である。
【００２１】
同図（ａ）に表したように、挟持器具０２０は、調整部００４の高さ００４ｈを高くした場合には、第一挟持部００６と第二挟持部００７により、厚みの厚い物３００ａを挟持することができる。しかしながら、この状態では余りに厚みの薄い物は、第一挟持部００６と第二挟持部００７により挟持することはできない。安定状態において、第一挟持部００６と第二挟持部００７との間に隙間が生じるためである。
【００２２】
一方、同図（ｂ）に表したように、挟持器具０２０は、調整部００４の高さ００４ｈを低くした場合には、厚みの薄い物３００ｂを第一挟持部００６と第二挟持部００７により挟持することができる。安定状態において、第一挟持部００６と第二挟持部００７との間に隙間が生じないためである。
【００２３】
図３は、図１に表した調整部００４の構成例を表す概念図である。同図（ａ）は側面図、同図（ｂ）は、切断線２１８ｃに沿って切断したことを想定した場合の断面図、同図（ｃ）は、切断線２１８ｄに沿って切断したことを想定した場合の断面図、である。
【００２４】
調整部００４は、外側部２０７と、内側部２０４と、ねじ２００ａと、ねじ２００ｂと、を備える。
【００２５】
ねじ２００ａは、その側面にねじ山が形成されている。また、その一方の端部には、ドライバ受け２０１ａが形成されており、ドライバによる締め付け等が可能になっている。さらに、他方の端部には図示しない凹凸が形成されている。
【００２６】
ねじ２００ｂは、その側面にねじ山が形成されている。また、その一方の端部には、ドライバ受け２０１ｂが形成されており、ドライバによる締め付け等が可能になっている。さらに、他方の端部には図示しない凹凸が形成されている。
【００２７】
外側部２０７には、同図に表したように、内側部２０４が挿入できる穴２０５が形成されており、穴２０５に、内側部２０４が挿入されている。
【００２８】
外側部２０７には、さらに、同図に表したように、ねじ２００ａを挿入できるねじ受け２０３ａと、ねじ２００ｂを挿入できるねじ受け２０３ｂと、が形成されている。ねじ受け２０３ａ及び２０３ｂの内側面には、ねじ２００ａ及び２００ｂの側面に形成されたねじ山を収納できるねじ溝が形成されている。
【００２９】
内側部２０４の側面２０８には図示しない凹凸が形成されている。
【００３０】
上記構造により、内側部２０４が外側部２０７からはみ出すはみ出し高さ２１０を調整し、ねじ２０１ａ及びねじ２０１ｂをドライバで締め付けることにより、そのはみ出し高さ２１０を維持したまま、内側部２０４を外側部２０７に固定することができる。前述のように、ねじ２００ａ及び２００ｂの、締め付けにより接触する、内側部２０４の側面２０８、に接触する端部、及び、側面２０８には図示しない凹凸が形成されている。これらの凹凸は、ねじ２００ａ及びねじ２００ｂの締め付けにより互いに噛み合うことになる。そのため、締め付けられた状態では、内側部２０４は外側部２０７に固定される。
【００３１】
図４は、ずれ防止部を追加した挟持器具の構成を表す概念図である。また、図５は、図４に表した構成を分解した場合を想定した概念図である。両図において、（ａ）は側面図であり、（ｂ）は（ａ）に表した矢印０１６の方向を見たことを想定した場合の図、（ｃ）は、（ａ）に表した矢印０１５の方向を見た場合を想定した上面図である。
【００３２】
両図においては、図１に表した挟持器具０２０の構成のうち、調整部００４と第二挟持部材００５は省略した構成を表してある。
【００３３】
図４に表した構成は、第一挟持部材００１の第一挟持部００６が、所定の回転軸の周りに正確に回転移動することを規定するためのずれ防止部０４０を備える。
【００３４】
ずれ防止部０４０は、図５に表したように、ずれ防止部材０４０ａ、０４０ｂ、０４０ｃと、芯０５０とを備える。ずれ防止部材０４０ａと０４０ｃは第一挟持部材００１に固定されている。ずれ防止部材０４０ｂは被保持部００３に固定されている。ずれ防止部材０４０ａ、０４０ｂ及び０４０ｃはいずれも略円柱状であり、それらの円形平面の略中心部には、芯０５０を挿入できる穴が形成されている。芯０５０は細長い略円柱状の部材である。芯０５０は、ずれ防止部材０４０ａ、０４０ｂ及び０４０ｃの前記穴に挿入されている。
【００３５】
上記構成により、第一挟持部材００１と被保持部００３は、芯０５０を回転中心とした回転を行うことになる。そのため、第一挟持部００６と図示しない他の端部とにより物を挟持する場合に、挟持するためにその物に加えられる挟持力の方向が一定になる。従い、挟持動作が安定し、挟持した対象物が外れにくくなる。
【００３６】
図６は、第一挟持部材００１の第一挟持部００６近傍に、挟持補助部材０７０を設けた構成例である。挟持する際に挟持対象物に接することが想定される箇所近傍に挟持補助部材０７０を設ける。挟持補助部材０７０は、ゴム等の滑りにくい素材や、表面に凹凸を設けた部材を用いることにより、挟持を容易にし、また、挟持した物を滑りにくくするための部材である。また、図示はしないが、図１に表した第二挟持部材００５の第二挟持部００７における、挟持により挟持対象物と接触することが想定される近傍にも、同様の、挟持補助部材を設けることができる。
［効果］
本実施形態の挟持器具０２０は、調整部００４の高さを調整することにより、第一挟持部材００１の第一挟持部００６と、第二挟持部材００５の第二挟持部００７との安定状態における間隔を変えることができる。そのため、より広い範囲の厚みの物を挟持することができる。
＜第二実施形態＞
本実施形態は、第一挟持部と第二挟持部との距離を段階的に変えることのできる挟持器具に関する実施形態である。
【００３７】
図７は、本実施形態の挟持器具０３０の構成を表す概念図である。また、図８は、図７に表した挟持器具０３０の構成のうち、挟持器具第一部０３０ａの構成を表す概念図である。また、図９は、図７に表した挟持器具０３０の構成のうち、挟持器具第二部０３０ｂの構成を表す概念図である。図７乃至図９において、（ａ）は側面図、（ｂ）は各図（ａ）に表した矢印０１６の方向を見たことを想定した図、（ｃ）は各図（ａ）に表した矢印０１５の方向を見ることを想定した上面図、である。
【００３８】
挟持器具０３０は、挟持器具第一部０３０ａと、挟持器具第二部０３０ｂとを備え、挟持器具第一部０３０ａと挟持器具第二部０３０ｂとを後述のように組合せ、図７に表した構成にすることにより、対象物を挟持することができる。
【００３９】
図８に表したように、挟持器具第一部０３０ａは、被保持部００３と、バネ００２ａ、００２ｂ、００２ｃと、第一挟持部材００１と、を備える。被保持部００３には、バネ００２ａ、００２ｂ、００２ｃのそれぞれの一端が固定されており第一挟持部材００１には、バネ００２ａ、００２ｂ、００２ｃのそれぞれの、被保持部００３に固定されていない方の他の一端が固定されている。
【００４０】
挟持器具第一部０３０ａとしては、図４や図６に表した構成を用いることもできる。
【００４１】
図９に表したように、挟持器具第二部０３０ｂは、第二挟持部材００５と、側部０１７と、側部０１８とを備える。
【００４２】
側部０１７は、側板０１３と、ガイド０１１ａ、０１１ｂ、０１１ｃ、０１１ｄ、０１１ｅ、０１１ｆを備える。
【００４３】
側板０１３上には、ガイド０１１ａ、０１１ｂ、０１１ｃ、０１１ｄ、０１１ｅ、０１１ｆにより、溝０２１ａ、０２１ｂ、０２１ｃ、０２１ｄ、０２１ｅが形成されている。各溝には、図７（ｂ）に表した端部００３ａが挿入できるように、各ガイドの厚み及び設置位置が定められている。
【００４４】
側板０１４上には、ガイド０１２ａ、０１２ｂ、０１２ｃ、０１２ｄ、０１２ｅ、０１２ｆにより、溝０２２ａ、０２２ｂ、０２２ｃ、０２２ｄ、０２２ｅが形成されている。各溝には、図７（ｂ）に表した端部００３ｂが挿入できるように、各ガイドの厚み及び設置位置が定められている。
【００４５】
図８（ｂ）に表した挟持器具第一部０３０ａの被保持部００３の端部００３ａは、図９（ｂ）に表した溝０２１ａ、０２１ｂ、０２１ｃ、０２１ｄ、０２１ｅのいずれか一に挿入される。
【００４６】
また、図８（ｂ）に表した挟持器具第一部０３０ａの被保持部００３の端部００３ｂは、図９（ｂ）に表した溝０２２ａ、０２２ｂ、０２２ｃ、０２２ｄ、０２２ｅのうちのいずれか一に挿入される。挿入される溝は、端部００３ａが挿入された溝０２１ａ、０２１ｂ、０２１ｃ、０２１ｄ、０２１ｅと、第二挟持部００５の上面からの高さが等しい溝である。。
【００４７】
こうして、図７に表した挟持器具０３０が形成される。同図では、同図（ｂ）に表したように、溝０２１ｃに端部００３ａが、溝０２２ｃに端部００３ｂが、それぞれ挿入された例を表している。
【００４８】
同図に表した挟持器具０３０は、端部００３ａ及び端部００３ｂを挿入する溝を変更することにより、被保持部００３の高さを段階的に変えることができる。それにより、挟持器具０３０は、第一挟持部００６と第二挟持部００７との安定状態における間隔を段階的に変更することができる。
【００４９】
図１０は、挟持器具第二部０３０ｂの第一のバリエーションを表す概念図である。同図には、図９の（ｂ）に相当する方向から見た場合を想定した図を表してある。
【００５０】
同図に表した挟持器具第二部０３０ｂは、側板０１３及び０１４の上部に、上板０６０を備える。挟持器具第二部０３０ｂの側板０１３及び０１４は、第二挟持部材００５と上板０６０との両方により固定されることになる。そのため、同図に表した挟持器具第二部０３０ｂは強度が向上する。
【００５１】
図１１は、挟持器具第二部０３０ｂの第二のバリエーションを表す概念図である。（ａ）は側面図、（ｂ）は（ａ）に表した矢印０１６の方向を見たことを想定した図、（ｃ）は（ａ）に表した矢印０１５の方向を見ることを想定した上面図、である。
【００５２】
同図に表した挟持器具第二部０３０ｂは、溝０２１及び０２２の矢印０１６に近い部分に、止め部０８０を備える。図８に表した被保持部００３の端部００３ａ及び００３ｂを、図１１の矢印０１６ｂの方向に、溝０２１及び０２２のうちの、対応する（第二挟持部材００５の上面から等しい高さにある。）いずれかの一対に挿入した場合を想定する。その場合において、止め部０８０は、被保持部００３がその一対の溝を通過して、矢印０１６に近い方向にはみ出すのを防ぐ働きをする。
【００５３】
図１２は、挟持器具第二部０３０ｂの第三のバリエーションを表す概念図である。（ａ）は側面図、（ｂ）は（ａ）に表した矢印０１６ｂの方向を見たことを想定した図、（ｃ）は（ａ）に表した矢印０１５の方向を見ることを想定した上面図、である。
【００５４】
同図に表した挟持器具第二部０３０ｂは、溝０２１及び０２２の矢印０１６ｂに近い部分に、止め部０８０ｂを備える。図８に表した被保持部００３の端部００３ａ及び００３ｂを、図１２の矢印０１６の方向に、溝０２１及び０２２のうちの対応する（第二挟持部材００５の上面から等しい高さにある。）いずれかの一対に挿入した場合を想定する。その場合において、止め部０８０ｂは、被保持部００３がその一対の溝を通過して、矢印０１６ｂに近い方向にはみ出すのを防ぐ働きをする。
［効果］
本実施形態の挟持器具０３０は、まず、第一実施形態の挟持器具０２０と同じ効果を奏し、それに加えて以下に説明する効果を奏する。
【００５５】
挟持器具０３０は、挟持対象物を挟持する第一挟持部００６と第二挟持部００７との間隔の調整を、被保持部００３の端部００３ａ及び００３ｂを挿入する一対の溝を選択し、挿入することにより行う。挟持器具０３０は、一対の溝を選択し、端部００３ａ及び００３ｂを挿入するだけで前記間隔の調整ができるので、前記間隔の調整が容易である。さらに、選択する一対の溝により、第一挟持部００６と第二挟持部００７との間隔が正確に決定される。そのため、選択する一対の溝と、第一挟持部００６と第二挟持部００７との間隔の関係を記録しておくことにより、挟持対象物の厚さに対し適当な端部００３ａと端部００３ｂとの間隔を、容易に求めることができる。さらに、挟持器具０３０は、第一挟持部材００１とバネ００２と被保持部００３を備える構成を、前記一対の溝により支えるので、壊れにくい頑丈な構造にすることが容易である。
＜第三実施形態＞
本実施形態は、挟持した物を設置場所に設置することのできる設置器具に関する実施形態である。
【００５６】
本実施形態の設置器具としては、そのままで挟持対象物を設置できる場合には、第一実施形態及び第二実施形態の挟持器具をそのまま用いることもできる。また、第一実施形態及び第二実施形態の挟持器具に、設置のための補助器具を加えて、設置器具として用いることもできる。  補助器具としては例えば以下において説明する補助器具０３０ｃｘを用いることもできる。
【００５７】
図１３は、組み立てた状態の、本実施形態の設置器具５００を表すイメージ斜視図である。また、図１４は、設置器具５００の３つの構成部分である挟持器具第一部０３０ａｘと、挟持器具第二部０３０ｂｘと、補助器具０３０ｃｘを取り外した場合の、設置器具５００を表す概念図である。
【００５８】
挟持器具第一部０３０ａｘは、被保持部００３と、第一挟持部材００１と、ずれ防止部０４０と、挟持補助部材０７０と、図示しない３つのバネとを備える。被保持部００３と、第一挟持部材００１と、図示しない３つのバネについての説明は、図８における、被保持部００３と、第一挟持部材００１と、バネ００２ａ、００２ｂ、００２ｃについての説明と同じである。また、ずれ防止部０４０についての説明は、図４及び図５におけるずれ防止部０４０についての説明と同じである。そして、挟持補助部材０７０についての説明は、図６における挟持補助部材０７０についての説明と同じである。
【００５９】
挟持器具第二部０３０ｂｘは、第二挟持部材００５と、側部０１７と、側部０１８と、上板０６０とを備える。側部０１８には溝０２２が形成されており、側部０１７の側部０１８に対向する部分にも同様の図示しない溝が形成されている。また、溝０２２及び前記図示しない溝の前方端部には止め部０８０ｂが形成されている。各構成についての説明は、図９、図１０及び図１２において説明した通りである。
【００６０】
次に、図１３に表した、組み立てた状態の設置器具５００を組み立てる方法を、図１４を参照して説明する。
【００６１】
まず、溝０２２のうちの一の溝、及び、その一の溝と第二挟持部材００５上面からの高さの等しい０１７に形成された図示しない溝から構成される、第一の一対の溝を選択する。
【００６２】
次に、挟持器具第一部０３０ａｘを挟持器具第二部０３０ｂｘに対して矢印０１６ｅ方向に移動させる。
【００６３】
そして、第一の一対の溝に、挟持器具第一部０３０ａｘの被補助部００３の端部００３ａ及び００３ｂを挿入する。その挿入は、端部００３ａ及び００３ｂが止め部０８０ｂ及び側部０１７に形成された図示しない同様の止め部に接触するまで行う。
【００６４】
次に、溝０２２の一、及び、その一の溝０２２と第二挟持部材００５からの高さの等しい側部０１７に形成された図示しない溝の、第二の一対の溝を選択する。
【００６５】
そして、補助器具０３０ｃｘを矢印０１６ｅの方向に移動させる。
【００６６】
そして、選択した第二の一対の溝に、高さ調整板０９０の端部０９０ｂ及び０９０の図示しないもう一方の端部を挿入する。その挿入は、後板０９３が挟持器具第二部０３０ｂｘの後部（矢印０１６ｅに近い部分）に接触するまで行う。
【００６７】
こうして、図１３に表した、組み立てた状態の設置器具５００になる。
【００６８】
図１５は、補助器具０３０ｃｘの構成を表す概念図である。同図（ａ）は斜視図、同図（ｂ）は同図（ａ）に表した矢印０１６ｃの方向を見たことを想定した側面図、同図（ｃ）は同図（ａ）に表した矢印０１６ｄの方向に見たことを想定した場合の正面図、である。
【００６９】
補助器具０３０ｃｘは、底板０９１と、側板０９２ａと、側板０９２ｂと、後板０９３と、高さ調整板０９０とを備える。それぞれの構成の形状と配置は例えば同図に示した通りである。
【００７０】
図１６及び図１７は、図１４に表した補助器具０３０ｃｘと挟持器具第二部０３０ｂｘとの組み立て例を表わす概念図である。図１６及び図１７においては、図１４に表した挟持器具第一部は省略している。
【００７１】
図１６に表したように、高さ調整板０９０の端部０９０ａ及び０９０ｂを、底板０９１から高い位置にある溝０２２ｘａ及び０２２ｘｂに挿入した場合には、第二挟持部材００５下面の底板０９１上面からの距離０９４ａは短くなる。
【００７２】
一方、図１７に表したように、高さ調整板０９０の端部０９０ａ及び０９０ｂを、底板０９１から低い位置にある溝０２２ｙａ及び０２２ｙｂに挿入した場合には、第二挟持部材００５下面の底板０９１上面からの距離０９４ａは長くなる。
【００７３】
このようして、補助器具０３０ｃｘと挟持器具第二部０３０ｂｘ（及びそれに組み合わされた挟持器具第一部）との距離は、高さ調整板０９０を挿入する、挟持器具第二部に形成された溝を変えることにより調整することができる。
【００７４】
以降、本実施形態の設置器具５００の使用例を、設置対象物をキーボードとした場合を例に説明する。
【００７５】
図１８は、２個の設置器具５００ｘ及び５００ｙを用いて、キーボード１００ａを立てて設置した例を表わすイメージ図である。
【００７６】
キーボード１００ａの被挟持部１３０ａは、設置器具５００ｘの備える第二挟持部材００５ｘの第二挟持部００７ｘと図示しない第一挟持部材の第一挟持部とにより挟持される。
【００７７】
また、キーボード１００ａの被挟持部１３０ｂは、設置器具５００ｙの備える第二挟持部材００５ｙの第二挟持部００７ｙと図示しない第一挟持部材の第一挟持部とにより挟持される。
【００７８】
その状態で、設置器具５００ｘ及び５００ｙは、それらの背部６００ｘ及び６００ｙが設置場所１４０に接するように設置され、設置器具５００ｘ及び５００ｙの設置対象であるキーボード１００ａは立てて設置される。
【００７９】
この際に、設置器具５００ｘ及び５００ｙは、第二挟持部材００５ｘと後板０９３ｘとの間隔、及び、第二挟持部材００５ｙと後板０９３ｙとの間隔を大きくすることにより、キーボード１００ａを立てて設置した状態での、その設置の安定性が向上する。すなわち、キーボード１００ａが倒れにくくなる。一方、設置器具５００ｘ及び５００ｙは、第二挟持部材００５ｘと後板０９３ｘとの間隔、及び、第二挟持部材００５ｙと後板０９３ｙとの間隔を小さくすることにより、キーボード１００ａを立てて設置した状態での、設置面積を小さくすることができる。このように、設置器具５００ｘ及び５００ｙは、キーボード１００ａ立てて設置した際の、設置の安定性や設置面積を調整することができる。設置器具５００ｘ及び５００ｙは、これらの調整を、第二挟持部材００５ｘと後板０９３ｘとの間隔、及び、第二挟持部材００５ｙと後板０９３ｙとの間隔を調整することにより、行う。
【００８０】
図１９は、比較的厚みの厚いキーボードを本実施形態の設置器具で立てずに設置した例を表わすイメージ図である。
【００８１】
同図の例では、キーボード１００ｂの比較的厚みの厚い被挟持部１３０ｃが、第一挟持部００６ｖ及び第二挟持部００７ｖにより挟持された状態で略横向きに設置されている。同図では底板０９１ｖの上面と第二挟持部００７ｖの下面とはほぼ接触し、それらの間隔０９４ｃがゼロである場合を表している。
【００８２】
同図の例では、底板０９１ｖの厚み及び第二挟持部００７ｖの厚みの分だけ、被挟持部１３０ｃが持ち上げられ、その分設置器具５００ｖを用いない場合より少しだけ立てられた状態で、キーボード１００ｂは設置場所１４０に設置されている。
【００８３】
キーボード１００ｂをさらに立てた状態で設置したい場合には、図１６及び１７の説明で述べたような方法により、底板０９１ｖの上面と第二挟持部００７ｖの下面の間隔０９４ｃを大きくすればよい。
【００８４】
図２０は、被挟持部の厚みが薄いキーボードを立てずに設置した場合を表すイメージ図である。
【００８５】
同図では、キーボード１００ｃの比較的薄い被挟持部１３０ｄが、第一挟持部００６ｗと第二挟持部００７ｗとにより挟持されている。同図の例では、底板の上面と第二挟持部００７ｗの下面との間隔０９４ｄは図１９に表した間隔０９４ｃより長く設定されている。それにより、同図に表したように、１００ｃの後下部７００ｗが設置場所から浮き、設置器具５００ｗを用いない場合より、キーボードが少し立てられた状態で設置場所１４０上に設置されている。
【００８６】
図１８乃至図２０を参照して説明したように、本実施形態の設置器具を用いることにより、キーボードを立てて設置することもできるし、キーボードを略横向きに設置して、その設置角度を調節することもできる。
【００８７】
キーボードを立てた場合には、キーボードを横向きに設置した場合と比べて、より少ない設置面積に設置することができる。また、キーボード使用時の設置角度は個人による好みがあるが、立てずに設置した場合に設置角度を調整することで、そのような個人の好みに合わせた設置角度による設置を行うことができる。
【００８８】
キーボードを立てた状態で設置する際に、その設置をさらに安定なものにするために、例えば、図２１に表したように、安定化部１５０を設けた設置器具５００ｚとすることもできる。
［効果］
本実施形態の設置器具は、広い範囲の厚みの対象物を挟持した上で、その対象物の姿勢の調節を行うことができる。姿勢の調節は、例えば、対象物である挟持したキーボードを縦方向に設置し、あるいは、横方向に設置する際の設置角度を調節する等である。本実施形態の設置器具は、さらに、その設置した対象物の設置の安定性や、設置面積を調整することができる。
【００８９】
なお、図２２は、本発明の最小限の挟持器具８００の構成を表す概念図である。
【００９０】
挟持器具８００は、第一挟持部８０６と、第二挟持部８０７と、挟持力発生部８０３と、調整部８０４とを備える。
【００９１】
第一挟持部及び第二挟持部は、それらの間に挟持する対象物を挟持するためのものである。
【００９２】
挟持力発生部８０３は、前記第一挟持部と前記第二挟持部との間に対象物を挟持するための力である挟持力を発生させる。
【００９３】
調整部８０４は、前記第一挟持部と前記第二挟持部との間隔を調整する。
【００９４】
挟持器具８００は、上記構成により、［発明の効果］の項に記載した効果を奏する。
【００９５】
以上、好ましい実施形態をあげて本発明を説明したが、本発明は必ずしも上記実施形態に限定されるものではなく、その技術的思想の範囲内において様々に変形し実施することができる。
【００９６】
また、上記の実施形態の一部又は全部は、以下の付記のようにも記述され得るが、以下には限られない。
【００９７】
（付記Ａ１）
第二挟持部との間に挟持する対象物を挟持するための第一挟持部と、
前記第二挟持部と、
前記第一挟持部と前記第二挟持部との間に前記対象物を挟持するための力である挟持力を発生させる挟持力発生部と、
前記第一挟持部と前記第二挟持部との間隔を調整する調整部と、
を備える、挟持器具。
【００９８】
（付記Ａ２）
前記調整部が、前記間隔を段階的に調整する、付記Ａ１に記載された挟持器具。
【００９９】
（付記Ａ３）
前記第一挟持部を備える第一挟持部材をさらに備える、付記Ａ１又は付記Ａ２に記載された挟持器具。
【０１００】
（付記Ａ４）
前記第二挟持部を備える第二挟持部材をさらに備える、付記Ａ１乃至付記Ａ３のうちのいずれか一に記載された挟持器具。
【０１０１】
（付記Ａ５）
前記第一挟持部材と接続された前記挟持力発生部に接続され、調整部により保持される、被保持部をさらに備える、付記Ａ１乃至付記Ａ４のうちのいずれか一に記載された挟持器具。
【０１０２】
（付記Ａ６）
前記調整部が、前記被保持部の少なくとも一部を設置及び除去することのできる複数の被設置部を有し、
前記一部を設置する前記被設置部を選択することにより、前記間隔を調整する、付記Ａ５に記載された挟持器具。
【０１０３】
（付記Ａ７）
前記調整部が側部を備え、前記被設置部が、前記側部に形成されている、付記Ａ６に記載された挟持器具。
【０１０４】
（付記Ａ８）
前記調整部が第一の側部と、第二の側部と、を備え、前記被設置部が前記第一の側部及び前記第二の側部に形成されている、付記Ａ７に記載された挟持器具。
【０１０５】
（付記Ａ９）
前記第一の側部及び第二の側部のそれぞれには複数の被設置部が設けられ、前記第一の側部に形成された被設置部から選択され一の被設置部と前記第二の側部に形成された被設置部から選択された一の被設置部とからなる選択された一対の被設置部に前記少なくとも一部が設置され、その一対の被設置部の選択により前記間隔を調整する、付記Ａ８に記載された挟持器具。
【０１０６】
（付記Ａ１０）
前記被保持部が板であり、前記少なくとも一部が当該板の両端部である、付記８又は付記９に記載された挟持器具。
【０１０７】
（付記Ａ１１）
前記被設置部が前記両端部を挿入しあるいは抜去することのできる溝である、付記１０に記載された挟持器具。
【０１０８】
（付記Ａ１２）
前記両端部の設置及び除去を、前記溝の長手方向にスライドさせることにより行うことのできる、付記Ａ１１に記載された挟持器具。
【０１０９】
（付記Ａ１３）
前記挟持力発生部がバネを備える、付記Ａ１乃至付記Ａ１２のうちのいずれか一に記載された挟持器具。
【０１１０】
（付記Ａ１４）
前記対象物がキーボードである、付記Ａ１乃至付記Ａ１３のうちのいずれか一に記載された挟持器具。
【０１１１】
（付記Ｂ１）
付記Ａ１乃至付記Ａ１４のうちのいずれか一の挟持器具と、
当該挟持器具が前記対象物を挟持した状態で、前記挟持器具を、前記挟持器具を設置する場所である設置場所上に設置するための補助器具と、を備える設置器具。
【０１１２】
（付記Ｂ２）
前記補助器具が、前記対象物が設置された状態における前記対象物の設置の安定性を調節する、付記Ｂ１に記載された設置器具。
【０１１３】
（付記Ｂ３）
前記補助器具が、前記対象物が設置された状態における前記対象物の設置の設置面積を調節する、付記Ｂ１又は付記Ｂ２に記載された設置器具。
【０１１４】
（付記Ｂ４）
前記補助器具が、前記対象物が設置された状態における前記対象物の姿勢を調節する、付記Ｂ１乃至付記Ｂ３のうちのいずれか一に記載された設置器具。
【符号の説明】
【０１１５】
００１    第一挟持部材
００２、００２ａ、００２ｂ、００２ｃ    バネ
００２ｘ、００２ｙ    バネの一端
００３    被保持部
００３ａ、００３ｂ    端部
００４、８０４    調整部
００４ｈ    高さ
００５、００５ｘ、００５ｙ、００５ｖ、００５ｗ    第二挟持部材
００６、００６ｖ、００６ｗ、８０６    第一挟持部
００７、００７ｘ、００７ｙ、００７ｖ、００７ｗ、８０７    第二挟持部
００８、００９、０１５、０１６、０１６ｂ、０１６ｃ、０１６ｄ、０１６ｅ    矢印
０１１ａ、０１１ｂ、０１１ｃ、０１１ｄ、０１１ｅ、０１１ｆ、０１２ａ、０１２ｂ、０１２ｃ、０１２ｄ、０１２ｅ、０１２ｆ    ガイド
０２１、０２１ａ、０２１ｂ、０２１ｃ、０２１ｄ、０２１ｅ、０２２、０２２ａ、０２２ｂ、０２２ｃ、０２２ｄ、０２２ｅ    溝
０１３、０１４    側板
０１７、０１８    側部
０２０、０３０、８００    挟持器具
０３０ａ、０３０ａｘ    挟持器具第一部
０３０ｂ、０３０ａｘ    挟持器具第二部
０３０ｃｘ    補助器具
０４０    ずれ防止部
０４０ａ、０４０ｂ、０４０ｃ    ずれ防止部材
０５０    芯
０６０    上板
０７０    挟持補助部材
０８０、０８０ｂ    止め部
０９０    高さ調整板
０９１、０９１ｖ    底板
０９２ａ、０９２ｂ    側板
０９３    後板
０９４ａ、０９４ｂ、０９４ｃ、０９４ｄ    間隔
１００ａ、１００ｂ、１００ｃ    キーボード
１１０ａ、１１０ｂ、１１０ｃ、１１０ｄ    設置治具
１３０ａ、１３０ｂ、１３０ｃ、１３０ｄ    被挟持部
１４０    設置場所
１５０    安定化部
２００ａ、２００ｂ    ねじ
２０１ａ、２０１ｂ    ドライバ受け
２０３ａ、２０３ｂ    ねじ受け
２０４    内側部
２０５    穴
２０７    外側部
２０８    側面
２１０    はみ出し高さ
３００ａ    厚みの厚い物
３００ｂ    厚みの薄い物
５００、５００ｘ、５００ｙ    設置器具
６００ｘ、６００ｙ    背部
７００ｗ    後下部
８０３    挟持力発生部
【図１】
0006527059.tif 000002
【図２】
0006527059.tif 000003
【図３】
0006527059.tif 000004
【図４】
0006527059.tif 000005
【図５】
0006527059.tif 000006
【図６】
0006527059.tif 000007
【図７】
0006527059.tif 000008
【図８】
0006527059.tif 000009
【図９】
0006527059.tif 000010
【図１０】
0006527059.tif 000011
【図１１】
0006527059.tif 000012
【図１２】
0006527059.tif 000013
【図１３】
0006527059.tif 000014
【図１４】
0006527059.tif 000015
【図１５】
0006527059.tif 000016
【図１６】
0006527059.tif 000017
【図１７】
0006527059.tif 000018
【図１８】
0006527059.tif 000019
【図１９】
0006527059.tif 000020
【図２０】
0006527059.tif 000021
【図２１】
0006527059.tif 000022
【図２２】
0006527059.tif 000023